(57)【要約】【課題】商品に添付されラベルに印字される情報の変更ミスを低減できるラベル発行装置、およびラベル発行システムを提供することを目的としている。【解決手段】印字データを管理する管理装置と接続されるラベル発行装置であって、他のラベル発行装置の情報を受信する受信部と、受信部が受信した情報が、印字データが変更されたことを示す変更情報の場合、印字データが変更されたことを表示部上に報知する制御部と、を備える。【選択図】図２
2014164513.tif 000002
【特許請求の範囲】
【請求項１】
印字データを管理する管理装置と接続されるラベル発行装置であって、
他のラベル発行装置の情報を受信する受信部と、
前記受信部が受信した情報が、前記印字データが変更されたことを示す変更情報の場合、前記印字データが変更されたことを表示部上に報知する制御部と、
を備えることを特徴とするラベル発行装置。
【請求項２】
前記制御部は、
前記受信部が受信した情報が、前記印字データが変更されたことを示す変更情報の場合、前記表示部上に表示する該印字データのうち変更された情報について前記表示部上に報知する
を備えることを特徴とする請求項１に記載のラベル発行装置。
【請求項３】
前記制御部は、
前記受信部が受信した情報が、前記印字データが変更されたことを示す変更情報の場合、前記印字データが変更されたことを示す情報に基づいて表示部上の表示を変更する
ことを特徴とする請求項１または請求項２に記載のラベル発行装置。
【請求項４】
ラベルを印字する指示を検出する検出部を備え、
前記制御部は、
前記検出部が、ラベルを印字する指示を検出したとき、前記変更情報が未確認である場合、前記ラベルの印字を停止し、前記変更情報が未確認であることを報知する
ことを特徴とする請求項１から請求項３のいずれか１項に記載のラベル発行装置。
【請求項５】
前記印字データが変更された場合に、他のラベル発行装置へ前記変更情報を送信する送信部
を備えることを特徴とする請求項１から請求項４のいずれか１項に記載のラベル発行装置。
【請求項６】
印字データを管理する管理装置と、
前記管理装置に接続される複数のラベル発行装置と、
を備え、
前記複数のラベル発行装置は、各々、
前記印字データが変更された場合に、他のラベル発行装置へ変更情報を送信する送信部と、
他のラベル発行装置から送信された情報を受信する受信部と、
前記受信部が受信した情報が、前記印字データが変更されたことを示す変更情報の場合、
前記印字データが変更されたことを表示部上に報知する制御部と、
を備えることを特徴とするラベル発行システム。
【請求項７】
前記管理装置は、
前記ラベル発行装置から前記変更情報を受信し、受信した情報に基づいて前記印字データのうち、変更された情報に対して変更が行われたことを示す情報を付加して自装置内に記憶する
ことを特徴とする請求項６に記載のラベル発行システム。
【請求項８】
前記複数のラベル発行装置は、
前記変更情報が操作者により確認されたことを示す情報を、前記送信部を介して前記管理装置へ送信し、
前記管理装置は、
全ての前記複数のラベル発行装置から前記変更情報が確認済みであることを示す情報を受け取ったとき、前記変更が行われたことを示す情報をリセットする
ことを特徴とする請求項７に記載のラベル発行システム。
【発明の詳細な説明】
【技術分野】
【０００１】
本発明は、ラベル発行装置、およびラベル発行システムに関する。
【背景技術】
【０００２】
商品の重量を計量するはかりを有し、計量結果と単価とから商品の価格を計算し、ラベルに印字できるようにしたラベルプリンタが知られている。このようなラベルプリンタは、例えば、スーパーマーケット等で、鮮魚等の生鮮食料品等に貼るラベルを発行するために使われている。
【０００３】
ラベルプリンタでは、ラベルを発行するために必要な各種情報が、商品毎にＰＬＵ（プライス・ルック・アップ）として自装置内に予め記憶されている。ラベルを発行するために必要な各種情報とは、単価、品名等である。例えば商品が生鮮食品の場合、日毎の仕入単価や原産地に応じて単価が異なるため、記憶されている各種情報を操作者が、日毎に変更する必要がある。ラベルプリンタがスーパーマーケット内に複数、設置されている場合、操作者は、全てのラベルプリンタに記憶されているＰＬＵファイルを変更する必要がある。
【０００４】
このため、特許文献１に記載の技術では、複数のラベルプリンタに接続されているファイルコントローラがＰＬＵを有する。特許文献１に記載の技術では、ラベルプリンタは、変更された内容をファイルコントローラへ送信する。そして、特許文献１に記載の技術では、変更された内容を受け取ったファイルコントローラが、受け取った内容によりＰＬＵを書き換える。特許文献１に記載の技術において、値付け作業を行うラベルプリンタは、値付けを行う商品のＰＬＵをファイルコントローラから受信する。このため、特許文献１に記載の技術では、複数のラベルプリンタを作業者が個別に変更せずに、ラベルを発行するために必要な各種情報を一括変更する。
【先行技術文献】
【特許文献】
【０００５】
【特許文献１】特開平６−６３８１８号公報
【発明の概要】
【発明が解決しようとする課題】
【０００６】
しかしながら、特許文献１に記載の技術では、複数のラベルプリンタを複数の操作者で操作する場合、ラベルプリンタが有する表示部に表示された情報を各作業者が見ても、値付けに関する情報に変更が加えられたか否かを判断できない。このため、特許文献１に記載の技術では、複数のラベルプリンタを複数の操作者が操作して情報の変更を行う場合、情報の変更忘れや変更ミスが発生する場合があるという課題があった。
【０００７】
本発明は、上記の問題点に鑑みてなされたものであって、商品に添付されラベルに印字される情報の変更ミスを低減できるラベル発行装置、およびラベル発行システムを提供することを目的としている。
【課題を解決するための手段】
【０００８】
上記目的を達成するため、本発明の一態様に係るラベル発行装置は、印字データを管理する管理装置と接続されるラベル発行装置であって、他のラベル発行装置の情報を受信する受信部と、前記受信部が受信した情報が、前記印字データが変更されたことを示す変更情報の場合、前記印字データが変更されたことを表示部上に報知する制御部と、を備えることを特徴としている。
【０００９】
また、本発明の一態様に係るラベル発行装置において、前記制御部は、前記受信部が受信した情報が、前記印字データが変更されたことを示す変更情報の場合、前記表示部上に表示する該印字データのうち変更された情報について前記表示部上に報知するようにしてもよい。
【００１０】
また、本発明の一態様に係るラベル発行装置において、前記制御部は、前記受信部が受信した情報が、前記印字データが変更されたことを示す変更情報の場合、前記印字データが変更されたことを示す情報に基づいて表示部上の表示を変更するようにしてもよい。
【００１１】
また、本発明の一態様に係るラベル発行装置において、ラベルを印字する指示を検出する検出部を備え、前記制御部は、前記検出部が、ラベルを印字する指示を検出したとき、前記変更情報が未確認である場合、前記ラベルの印字を停止し、前記変更情報が未確認であることを報知するようにしてもよい。
【００１２】
また、本発明の一態様に係るラベル発行装置において、前記印字データが変更された場合に、他のラベル発行装置へ前記変更情報を送信する送信部を備えるようにしてもよい。
【００１３】
上記目的を達成するため、本発明の一態様に係るラベル発行システムは、印字データを管理する管理装置と、前記管理装置に接続される複数のラベル発行装置と、を備え、前記複数のラベル発行装置は、各々、前記印字データが変更された場合に、他のラベル発行装置へ変更情報を送信する送信部と、他のラベル発行装置から送信された情報を受信する受信部と、前記受信部が受信した情報が、前記印字データが変更されたことを示す変更情報の場合、前記印字データが変更されたことを表示部上に報知する制御部と、を備えることを特徴としている。
【００１４】
また、本発明の一態様に係るラベル発行システムにおいて、前記管理装置は、前記ラベル発行装置から前記変更情報を受信し、受信した情報に基づいて前記印字データのうち、変更された情報に対して変更が行われたことを示す情報を付加して自装置内に記憶するようにしてもよい。
【００１５】
また、本発明の一態様に係るラベル発行システムにおいて、前記複数のラベル発行装置は、前記変更情報が操作者により確認されたことを示す情報を、前記送信部を介して前記管理装置へ送信し、前記管理装置は、全ての前記複数のラベル発行装置から前記変更情報が確認済みであることを示す情報を受け取ったとき、前記変更が行われたことを示す情報をリセットするようにしてもよい。
【発明の効果】
【００１６】
本発明によれば、商品に添付されラベルに印字される情報の変更ミスを低減できる。
【図面の簡単な説明】
【００１７】
【図１】第１実施形態に係るラベル発行システムの一例の構成を表す図である。
【図２】第１実施形態に係るラベルプリンタの構成を表すブロック図の一例である。
【図３】第１実施形態に係る管理装置の構成を表すブロック図の一例である。
【図４】第１実施形態に係る商品情報記憶部に記憶されている情報の一例を説明する図である。
【図５】図４に示した商品情報記憶部に記憶される品名の項目の一例を説明する図である。
【図６】図４に示した商品情報記憶部に記憶される単価の項目の一例を説明する図である。
【図７】図４に示した商品情報記憶部に記憶される産地の項目の一例を説明する図である。
【図８】第１実施形態に係る値付け画面の一例を説明する図である。
【図９】第１実施形態に係る値付け画面において変更項目として産地ボタンが選択された場合の表示の一例を説明する図である。
【図１０】第１実施形態に係る商品情報の変更処理における確認画面の一例を説明する図である。
【図１１】第１実施形態に係るラベルプリンタ装置における商品情報の変更手順の一例のフローチャートである。
【図１２】第１実施形態に係るラベルプリンタ装置における商品に関する情報の変更の際の管理装置の処理手順の一例のフローチャートである。
【図１３】第１実施形態に係る設定変更を報知する画面の一例を示す図である。
【図１４】第１実施形態に係る警告用のポップアップ画面の一例を説明する図である。
【図１５】第１実施形態に係る商品に関する情報の変更処理を行った他のラベルプリンタ装置１０における処理手順の一例のフローチャートである。
【図１６】第１実施形態に係る管理装置が複数のラベルプリンタ装置との間で行う処理の一例のフローチャートである。
【図１７】第１実施形態に係る設定変更を報知する画面の他の例を示す図である。
【図１８】図４に示した商品情報記憶部に記憶される品名の項目の他の例を説明する図である。
【図１９】図４に示した商品情報記憶部に記憶される単価の項目の他の例を説明する図である。
【図２０】図４に示した商品情報記憶部に記憶される産地の項目の他の例を説明する図である。
【図２１】第２実施形態に係る商品に関する情報に変更があった場合の画面の一例を説明する図である。
【発明を実施するための形態】
【００１８】
以下、本発明の実施の形態について図面を参照しながら説明する。
［第１実施形態］
図１は、本実施形態に係るラベル発行システム１の一例の構成を表す図である。図１に示すように、ラベル発行システム１は、ｎ（ｎは１以上の整数）個のラベルプリンタ装置１０−１〜１０−ｎ、管理装置３０を備えている。以下の説明において、ラベルプリンタ装置１０−１〜１０−ｎを特定しない場合、ラベルプリンタ装置１０と称する。
【００１９】
ラベルプリンタ装置１０は、製品に関する情報を印字するプリンタである。製品に関する情報とは、製品名、価格、重さ、個数、製品の産地等を示す情報である。ラベルプリンタ装置１０は、製品に関する情報を、ネットワーク２０を介して管理装置３０から取得する。ラベルプリンタ装置１０は、製品に関する情報を表示し、表示した内容が操作者により変更された場合、変更された製品に関する情報を、ネットワーク２０を介して他のラベルプリンタ装置１０および管理装置３０へ送信する。ラベルプリンタ装置１０は、ネットワーク２０を介して、他のラベルプリンタ装置１０および管理装置３０と接続されている。
【００２０】
ネットワーク２０は、例えばＩＰネットワークである。ネットワーク２０は、有線ネットワークであっても無線ネットワークであってもよい。
【００２１】
管理装置３０は、自装置内に製品に関する情報等を記憶している。管理装置３０は、製品に関する情報を、ネットワーク２０を介してラベルプリンタ装置１０に送信する。管理装置３０は、製品に関する情報が更新されたことを示す情報を、ネットワーク２０を介してラベルプリンタ装置１０から受信し、受信した情報に基づいてラベルプリンタ装置１０により製品に関する情報が更新されたことを示す情報を更新する。
【００２２】
図２は、本実施形態に係るラベルプリンタ装置１０の構成を表すブロック図の一例である。図２に示すように、ラベルプリンタ装置１０は、制御部１００、はかり１２０、印字機構部１３０、および操作部１４０を備える。
【００２３】
はかり１２０は、ロードセル１２０ａを備え、商品の重量を計測する。
印字機構部１３０は、ラベルの印字を行い、印字したラベルを排出する。印字機構部１３０は、例えば、ドット印字を行うサーマルヘッドと、１ドットライン分のデータを蓄積し、サーマルヘッドに供給するシフトレジスタと、ラベルを１ドットラインずつ移動させるステッピングモータとを有しており、任意の文字、数字、および画像を印字する。
【００２４】
操作部１４０は、キー操作部１４１、および操作表示部１４２を備える。
キー操作部１４１は、テンキーと印字キーとを備える。テンキーは数字の入力を受け付ける。印字キーは印字指示の入力を受け付ける。
操作表示部１４２は、タッチパネル１４２ａと液晶表示器１４２ｂから構成されている。操作表示部１４２は、液晶表示器１４２ｂの上面にタッチパネル１４２ａが積層された形となっており、同一面でデータの表示と入力とができるようになっている。液晶表示器１４２ｂは例えば６４０×４８０ドットのドット表示により、各種データの表示を行う。タッチパネル１４２ａは、透明のパネルであり、液晶表示器１４２ｂの上面に設けられている。タッチパネル１４２ａは、操作者の指が触れた位置を検出し、検出した位置に応じた入力を受け付ける。
【００２５】
制御部１００は、ＣＰＵ（制御部）１０１、ロードセル制御部１０２、印字制御部１０３、通信部１０４、操作制御部１０５、表示制御部１０６、ＲＡＭ（Ｒａｎｄｏｍ  Ａｃｃｅｓｓ  Ｍｅｍｏｒｙ）１０７、ＲＯＭ（Ｒｅａｄ  Ｏｎｌｙ  Ｍｅｍｏｒｙ）１０８、および記憶部１０９を備える。
【００２６】
なお、図１に示したラベルプリンタ装置１０−１〜１０−ｎは、各々、制御部１００−１〜１００−ｎを備える。制御部１００−１〜１００−ｎのうち特定しない場合は、制御部１００という。また、各ラベルプリンタ装置１０装置が備える制御部１００は、各々、ＣＰＵ１０１−１〜１０１−ｎ、ロードセル制御部１０２−１〜１０２−ｎ、印字制御部１０３−１〜１０３−ｎ、通信部１０４−１〜１０４−ｎ、操作制御部１０５−１〜１０５−ｎ、表示制御部１０６−１〜１０６−ｎ、ＲＡＭ１０８−１〜１０８−ｎ、および記憶部１０９−１〜１０９−ｎを備えている。同様に、各部のうち特定しない場合は、ＣＰＵ１０１、ロードセル制御部１０２、印字制御部１０３、通信部１０４、操作制御部１０５、表示制御部１０６、ＲＡＭ１０８、および記憶部１０９という。
【００２７】
ＣＰＵ１０１は、ＲＯＭ１０８が記憶する制御プログラムと、ＲＡＭ１０７及び記憶部１０９が記憶する各種情報を読み出し、読み出した制御プログラムと各種情報とに基づいて各部の制御を行う。また、ＣＰＵ１０１は、必要な情報をＲＡＭ１０７または記憶部１０９に記憶させる。ＣＰＵ１０１は、バスを介して制御部１００が備える各部と互いにデータの入出力が可能な状態で接続している。
【００２８】
ロードセル制御部１０２は、はかり１２０が備えるロードセル１２０ａの制御を行う。
印字制御部１０３は、印字機構部１３０の制御を行う。
通信部１０４は、ネットワーク２０に接続されている。通信部１０４は、ネットワーク２０を介して、他のラベルプリンタ装置１０または管理装置３０との情報の送受信を行う。通信部１０４は、受信した情報をＣＰＵ１０１に出力する。通信部１０４は、ＣＰＵ１０１が出力した情報を、ネットワーク２０を介して、他のラベルプリンタ装置１０または管理装置３０へ送信する。以下、ＣＰＵ１０１が、通信部３０４に情報を出力し、通信部１０４がネットワーク２０を介して情報を送信することを、『ＣＰＵ１０１がネットワーク２０を介して情報を送信する』と省略して説明する。同様に、通信部１０４がネットワーク２０を介して情報を受信し、通信部１０４が受信した情報をＣＰＵ１０１が取得することを、『ＣＰＵ１０１がネットワーク２０を介して情報を受信する』と省略して説明する。
【００２９】
操作制御部１０５は、キー操作部１４１と、タッチパネル１４２ａの制御を行う。
表示制御部１０６は、液晶表示器１４２ｂの制御を行う。
ＲＡＭ１０７は、ＣＰＵ１０１が用いる情報を記憶する一時記憶領域である。
ＲＯＭ１０８は、ＣＰＵ１０１が用いる制御プログラムを記憶するする記憶領域である。
【００３０】
記憶部１０９は、例えば、ＨＤＤ（Ｈａｒｄ  ｄｉｓｋ  ｄｒｉｖｅ）やＳＳＤ（Ｓｏｌｉｄ  Ｓｔａｔｅ  Ｄｒｉｖｅ）により構成される。記憶部１０９は、通信部１０４を介して管理装置３０から受信した商品に関する情報を記憶する。
【００３１】
図３は、本実施形態に係る管理装置３０の構成を表すブロック図の一例である。図３に示すように、管理装置３０は、通信部３０１、制御部３０２、および商品情報記憶部３０３を備えている。
【００３２】
通信部３０１は、ネットワーク２０に接続されている。通信部３０１は、ネットワーク２０を介してラベルプリンタ装置１０から受信した情報を、制御部３０２に出力する。通信部３０１は、制御部３０２が出力した情報を、ネットワーク２０を介してラベルプリンタ装置１０へ送信する。以下、制御部３０２が、通信部３０１に情報を出力し、通信部３０１がネットワーク２０を介して情報を送信することを、『制御部３０２がネットワーク２０を介して情報を送信する』と省略して説明する。同様に、通信部３０１がネットワーク２０を介して情報を受信し、通信部３０１が受信した情報を制御部３０２が取得することを、『制御部３０２がネットワーク２０を介して情報を受信する』と省略して説明する。
【００３３】
制御部３０２は、商品情報記憶部３０３に記憶されている商品に関する情報を通信部３０１に出力する。制御部３０２は、通信部３０１がネットワーク２０を介してラベルプリンタ装置１０から受信した情報に、商品に関する情報を更新したことを示す情報が含まれていた場合、商品に関する情報を更新したことを示す情報を商品情報記憶部３０３に記憶させる。
商品情報記憶部３０３には、図４〜図７に示すような商品に関する情報、商品に関する情報を更新したことを示す情報等が記憶されている。
【００３４】
図４は、本実施形態に係る商品情報記憶部３０３に記憶されている情報の一例を説明する図である。図４に示すように、商品情報記憶部３０３には、商品データ（品番）、品名、単価、産地等が関連づけられて記憶されている。
【００３５】
図５は、図４に示した商品情報記憶部３０３に記憶される品名の項目の一例を説明する図である。図５に示すように、品名の項目は、管理装置、ＩＤ１〜ＩＤｎの項目を含む。これらの項目が、商品データ毎に商品情報記憶部３０３に記憶されている。項目の『管理装置』は、商品情報記憶部３０３に記憶されている商品名を示す。ＩＤｎは、ラベルプリンタ装置１０が有する識別子である。項目の『ＩＤ１』は、例えば、ＩＤ１を有するラベルプリンタ装置１０−１から、商品データ『００００１』に関する商品名の登録や変更があったか否かを示す。例えば、『０』は商品データ『００００１』に関する商品名の登録や変更があったことを示し、『１』は商品データ『００００１』に関する商品名の登録や変更がなかったことを示す。
【００３６】
図６は、図４に示した商品情報記憶部３０３に記憶される単価の項目の一例を説明する図である。図６に示すように、単価の項目は、管理装置、ＩＤ１〜ＩＤｎの項目を含む。これらの項目が、商品データ毎に商品情報記憶部３０３に記憶されている。項目の『管理装置』は、商品情報記憶部３０３に記憶されている商品の単価を示す。項目の『ＩＤ１』は、例えば、ＩＤ１を有するラベルプリンタ装置１０−１から、商品データ『００００１』に関する単価の登録や変更があったか否かを示す。例えば、『０』は商品データ『００００１』に関する単価の登録や変更があったことを示し、『１』は商品データ『００００１』に関する単価の登録や変更がなかったことを示す。
【００３７】
図７は、図４に示した商品情報記憶部３０３に記憶される産地の項目の一例を説明する図である。図６に示すように、産地の項目は、管理装置、ＩＤ１〜ＩＤｎの項目を含む。これらの項目が、商品データ毎に商品情報記憶部３０３に記憶されている。項目の『管理装置』は、商品情報記憶部３０３に記憶されている商品の産地を示す。項目の『ＩＤ１』は、例えば、ＩＤ１を有するラベルプリンタ装置１０−１から、商品データ『００００１』に関する産地の登録や変更があったか否かを示す。例えば、『０』は商品データ『００００１』に関する産地の登録や変更があったことを示し、『１』は商品データ『００００１』に関する産地の登録や変更がなかったことを示す。
【００３８】
図８は、本実施形態に係る値付け画面４００の一例を説明する図である。図８に示すように、値付け画面４００には、品番（商品コード）ボタン４１１、商品名ボタン４１２、単価ボタン４１３、産地ボタン４１４、値段ボタン４１５、およびラベル印字ボタン４１６等が含まれている。品番（商品コード）ボタン４１１、商品名ボタン４１２、単価ボタン４１３、産地ボタン４１４、および値段ボタン４１５は、情報を変更可能なボタンであり、各ボタンには情報が表示される。また、品番（商品コード）ボタン４１１、商品名ボタン４１２、単価ボタン４１３、産地ボタン４１４、および値段ボタン４１５は、操作者により選択されたとき、各ボタンに対応する選択情報がポップアップ画面により表示される。図８に示した例では、品番（商品コード）ボタン４１１に表示される情報が『００００１０』であり、商品名ボタン４１２に表示される情報が『トマト』である。また、単価ボタン４１３に表示される情報が『１５０（円）』であり、産地ボタン４１４に表示される情報が『北海道産』であり、値段ボタン４１５に表示される情報が『４５０円』（３個で１パックの場合）である。
【００３９】
図９は、本実施形態に係る値付け画面４００において変更項目として産地ボタン４１４が選択された場合の表示の一例を説明する図である。図１０に示すように、操作者により産地ボタン４１４が選択された場合、商品『トマト』として登録されている産地を示す情報を、ポップアップ画面４１４ａに表示する。ポップアップ画面４１４ａは、画面４００の一番手前のレイヤーに表示される。図９に示した例では、ポップアップ画面４１４ａには、北海道産、静岡県産、鹿児島県産、・・・等が表示される。
【００４０】
図１１は、本実施形態に係る商品情報の変更処理における確認画面の一例を説明する図である。図１１に示した例では、操作者が、図９において産地を示す情報として『鹿児島県産』を選択した後の画面である。図１１に示すように、ＣＰＵ１０１は、表示制御部１０６を制御して選択された『鹿児島県産』を産地ボタン４１４に表示する。さらに、ＣＰＵ１０１は、表示制御部１０６を制御して、画面４００に確認ボタン４１７とキャンセルボタン４１８を表示する。また、図１１に示した例では、産地を示す情報の変更に応じて、１個当たりの単価が１６０（円）であるため、単価ボタン４１３に単価の情報『１６０（円）』が表示され、値段ボタン４１５に値段の情報『４８０（円）』（３個で１パックの場合）が表示される。
【００４１】
図１１は、本実施形態に係るラベルプリンタ装置１０における商品に関する情報の変更手順の一例のフローチャートである。
（ステップＳ１）ＣＰＵ１０１は、キー操作部１４１、またはタッチパネル１４２ａにより操作者が値付けを行うために値付け画面の表示を指示するボタンまたはキーを押したことを検出する。
（ステップＳ２）ステップＳ１において値付け画面の表示を指示するボタンまたはキーを押したことが検出された場合、ＣＰＵ１０１は、液晶表示器１４２ｂ上に値付け画面４００（図８参照）を表示する。
【００４２】
（ステップＳ３）ＣＰＵ１０１は、値付け画面４００の中から商品名ボタン４１２が操作者によって押されたことを検出する。次に、ＣＰＵ１０１は、表示制御部１０６を介して、液晶表示器１４２ｂに五十音を表示する。次に、ＣＰＵ１０１は、表示された五十音を操作者が操作して入力した商品名を取得する。あるいはＣＰＵ１０１は、表示制御部１０６を介して、液晶表示器１４２ｂに複数の商品名ボタンを表示する。次にＣＰＵ１０１は、表示された複数の商品名の中から操作者が押した商品名ボタンに対応する商品名を取得する。ここで、ＣＰＵ１０１が取得する商品名は、例えば『トマト』である。この取得された商品名は、操作者が値付けを行いたい商品に対応する商品名である。
【００４３】
（ステップＳ４）ＣＰＵ１０１は、ステップＳ３で取得した商品名に対応する商品に関する情報（以下、商品情報という）を送信してもらうためのリクエストを、ネットワーク２０を介して管理装置３０へ送信する。ここで、ＣＰＵ１０１が送信するリクエストは、例えば、『トマト』（品番＝０００１０）の商品情報を管理装置３０から送信してもらう要求である。
（ステップＳ５）ＣＰＵ１０１は、ネットワーク２０を介して管理装置３０がリクエストに応じて送信した商品情報を受信する。
（ステップＳ６）ＣＰＵ１０１は、受信した商品情報を液晶表示器１４２ｂ上に表示する（図８参照）。
【００４４】
（ステップＳ７）ＣＰＵ１０１は、表示した画面４００の中から操作者が押した変更項目のボタンの入力を受け付ける。変更項目のボタンとは、例えば単価ボタン４１３、産地ボタン４１４等である。
（ステップＳ８）ＣＰＵ１０１は、ステップＳ７で受け付けた変更項目のボタンに対応した入力画面を、画面４００内、または画面４００に重ねて表示する。変更項目のボタンに対応した入力画面とは、例えば、変更項目のボタンが産地ボタン４１４の場合、図９に示すようなポップアップ画面４１４ａである。ポップアップ画面４１４ａには、候補である複数の産地名を含み、この産地名は各々、選択可能なボタンになっている。次に、ＣＰＵ１０１は、入力画面から操作者により選択された変更する情報の入力を受け付ける。変更する情報は、例えば、『鹿児島県産』である。
【００４５】
（ステップＳ９）ＣＰＵ１０１は、ステップＳ８で変更する情報を受け付けた後、操作者により確認ボタン４１７、またはキャンセルボタン４１８が押されたことを検出する。ＣＰＵ１０１は、確認ボタン４１７が押されたことを検出した場合（ステップＳ９；確定ボタン）、ステップＳ１１に進み、キャンセルボタン４１８が押されたことを検出した場合（ステップＳ９；キャンセルボタン）、ステップＳ１０に進む。なお、確認ボタン４１７、およびキャンセルボタン４１８は、タッチパネル１４２ａに表示されるボタンであってもよく、キー操作部１４１が有するキーであってもよい。
【００４６】
（ステップＳ１０）キャンセルボタン４１８が押されたことを検出した場合、ＣＰＵ１０１は、ステップＳ７およびＳ８で受け付けた変更内容をキャンセルし、例えば図８の表示状態に戻す。次に、ＣＰＵ１０１は、商品に関する情報の変更の処理を終了する。あるいは、ＣＰＵ１０１は、ステップＳ１０終了後、処理をステップＳ７に戻すようにしてもよい。
（ステップＳ１１）確認ボタン４１７が押されたことを検出した場合、ＣＰＵ１０１は、ステップＳ７およびＳ８で受け付けた変更内容を確定する。
（ステップＳ１２）ＣＰＵ１０１は、変更された項目、変更したことを示すフラグ、自装置の識別子（ＩＤ）、変更された情報を、ネットワーク２０を介して管理装置３０に送信する。
以上で、商品に関する情報の変更の処理を終了する。
【００４７】
次に、管理装置３０の処理手順の一例を説明する。図１２は、本実施形態に係るラベルプリンタ装置１０における商品に関する情報の変更の際の管理装置３０の処理手順の一例のフローチャートである。
（ステップＳ１０１）管理装置３０の制御部３０２は、ネットワーク２０を介してラベルプリンタ装置１０からリクエストを受信する。
（ステップＳ１０２）制御部３０２は、リクエストに応じて、リクエストされた商品に対応する商品情報を商品情報記憶部３０３から読み出す。
（ステップＳ１０３）制御部３０２は、商品情報記憶部３０３から読み出した商品情報を、ネットワーク２０を介してラベルプリンタ装置１０に送信する。
【００４８】
（ステップＳ１０４）制御部３０２は、変更された項目、ラベルプリンタ装置１０が変更したことを示すフラグ、変更を行った装置の識別子（ＩＤ）、および変更された情報を、ネットワーク２０を介してラベルプリンタ装置１０から受信する。
（ステップＳ１０５）制御部３０２は、受信した変更された項目、変更したことを示すフラグ、変更を行った装置の識別子（ＩＤ）、および変更された情報を商品情報記憶部３０３に記憶させる。一例として、ラベルプリンタ装置１０−１が、産地の情報を変更した場合、図７に示した商品情報記憶部３０３の産地の項目『ＩＤ１』に更新したことを示すフラグ『１』を記憶させる。
以上で、管理装置３０の処理を終了する。
【００４９】
図１３は、本実施形態に係る設定変更を報知する画面４００ａの一例を示す図である。図１３と図８に示した画面４００との差異は、設定確認ボタン４２１、およびポップアップ画面４２２である。図１３示すように、画面４００ａには、ポップアップ画面４２２『ラベルプリンタ装置１０−１設定変更がありました』が表示される。このポップアップ画面４２２が、画面４００の一番手前のレイヤーに表示される。このように、ポップアップ画面４２２を表示することで、操作者は、液晶表示器１４２ｂ−２を見ることで、設定に変更があったことを簡単かつ適切に知ることができる。
【００５０】
図１４本実施形態に係る警告用のポップアップ画面４２３の一例を説明する図である。図１４に示すように、ポップアップ画面４２３には、注意を促す文「設定確認ボタンが、まだ押されていません」と、ポップアップ画面４２３を消すＯＫボタン４２４が含まれている。なお、ポップアップ画面４２３は、液晶表示器１４２ｂ−２上の一番手前のレイヤーに表示される。
【００５１】
次に、商品に関する情報の変更処理を行った他のラベルプリンタ装置１０における処理手順の一例を説明する。
図１５は、本実施形態に係る商品に関する情報の変更処理を行った他のラベルプリンタ装置１０における処理手順の一例のフローチャートである。以下の処理は、例えば図１において、ラベルプリンタ装置１０−１が商品に関する情報の変更を行う。その後、ラベルプリンタ装置１０−２が、以下の処理を行う。
【００５２】
（ステップＳ２０１〜Ｓ２０４）ラベルプリンタ装置１０−２のＣＰＵ１０１−２は、ステップＳ２０１〜Ｓ２０４の処理をステップＳ１〜Ｓ４（図１１）と同様に行う。
（ステップＳ２０５）ＣＰＵ１０１−２は、リクエストに対応する商品情報を、ネットワーク２０を介して管理装置３０から受信する。ここで、ＣＰＵ１０１−２が受信する製品情報には、図１１の処理により変更された内容が反映されている。このため、変更が行われている場合、商品情報には、変更された項目、変更したことを示すフラグ、変更を行った装置の識別子（ＩＤ）、および変更された情報が含まれている。
【００５３】
（ステップＳ２０６）ＣＰＵ１０１−２は、受信した商品情報を、表示制御部１０６−２を介して液晶表示器１４２ｂ−２上に表示する。
（ステップＳ２０７）ＣＰＵ１０１−２は、受信した情報の中に変更したことを示すフラグが含まれているか否かを判別する。ＣＰＵ１０１−２は、変更したことを示すフラグが含まれていると判別した場合（ステップＳ２０７；ＹＥＳ）、ステップＳ２０８に進み、変更したことを示すフラグが含まれていないと判別した場合（ステップＳ２０７；ＮＯ）、ステップＳ２１３に進む。
【００５４】
（ステップＳ２０８）変更したことを示すフラグが含まれていると判別した場合、ＣＰＵ１０１−２は、設定確認ボタン４２１を、表示制御部１０６−２を介して液晶表示器１４２ｂ−２上に表示する。
（ステップＳ２０９）ＣＰＵ１０１−２は、ラベルプリンタ装置１０−１により、商品情報が変更されたことを示すアラートを表示する。例えば、ＣＰＵ１０１−２は、図１３に示すように、ポップアップ画面４２２を画面４００ａの上に表示する。
【００５５】
（ステップＳ２１０）ＣＰＵ１０１−２は、ラベル印字ボタン４１６が操作者により押されたことが検出されたか否かを判別する。ＣＰＵ１０１−２は、ラベル印字ボタン４１６が操作者により押されたことが検出されたと判別した場合（ステップＳ２１０；ＹＥＳ）、ステップＳ２１１に進み、ラベル印字ボタン４１６が操作者により押されたことが検出されていないと判別した場合（ステップＳ２１０；ＮＯ）、ステップＳ２１０の処理を繰り返す。
【００５６】
（ステップＳ２１１）ラベル印字ボタン４１６が操作者により押されたことが検出されたと判別した場合、ＣＰＵ１０１−２は、設定確認ボタン４２１が操作者により押されたことが検出されたか否かを判別する。ＣＰＵ１０１−２は、設定確認ボタン４２１が操作者により押されたことが検出されたと判別した場合（ステップＳ２１１；ＹＥＳ）、ステップＳ２１２に進み、設定確認ボタン４２１が操作者により押されたことが検出されていないと判別した場合（ステップＳ２１１；ＮＯ）、ステップＳ２１２に進む。
【００５７】
（ステップＳ２１２）設定確認ボタン４２１が操作者により押されたことが検出されていないと判別した場合、ＣＰＵ１０１−２は、アラート画面を画面４００ａ上に表示する。例えば、ＣＰＵ１０１−２は、図１４に示したように、ポップアップ画面４２３を画面４００ａ上に表示する。ＣＰＵ１０１−２は、ＯＫボタン４２４が押されたことを検出し、ポップアップ画面４２３の表示を消す。次に、ＣＰＵ１０１−２は、処理をステップＳ２１０に戻す。
（ステップＳ２１３）設定確認ボタン４２１が操作者により押されたことが検出されたと判別した場合、ＣＰＵ１０１−２は、設定確認が完了したことを示す情報を、ネットワーク２０を介して管理装置３０へ送信する。
【００５８】
（ステップＳ２１４）ＣＰＵ１０１−２は、画面４００ａに表示されている商品に関するラベルを、印字制御部１０３−２を制御して印字機構部１３０に印字させる。
（ステップＳ２１５）変更したことを示すフラグが含まれていないと判別した場合、ＣＰＵ１０１−２は、ラベル印字ボタン４１６が操作者により押されたことが検出されたか否かを判別する。ＣＰＵ１０１−２は、ラベル印字ボタン４１６が操作者により押されたことが検出されたと判別した場合（ステップＳ２１５；ＹＥＳ）、ステップＳ２１４に進み、ラベル印字ボタン４１６が操作者により押されたことが検出されていないと判別した場合（ステップＳ２１５；ＮＯ）、ステップＳ２１５の処理を繰り返す。
以上で、商品に関する情報の変更処理を行った他のラベルプリンタ装置１０における処理を終了する。
【００５９】
次に、管理装置３０が複数のラベルプリンタ装置１０との間で行う処理手順を説明する。図１６は、本実施形態に係る管理装置３０が複数のラベルプリンタ装置１０との間で行う処理の一例のフローチャートである。なお、図１６のフローチャートは、図１２に示したラベルプリンタ装置１０−１から変更情報を受信した後の処理を説明するものである。
【００６０】
（ステップＳ３０１）管理装置３０の制御部３０２は、ネットワーク２０を介してラベルプリンタ装置１０−２からリクエストを受信する。
（ステップＳ３０２）制御部３０２は、リクエストに応じて、リクエストされた商品に対応する商品情報を商品情報記憶部３０３から読み出す。
（ステップＳ３０３）制御部３０２は、商品情報記憶部３０３から読み出した商品情報に、変更された項目、変更された情報、変更を行った装置の識別子（ＩＤ）および変更したことを示すフラグを関連づけて、ネットワーク２０を介してラベルプリンタ装置１０に送信する。
【００６１】
（ステップＳ３０４）制御部３０２は、設定確認が完了したことを示す情報を、ネットワーク２０を介してラベルプリンタ装置１０から受信する。
（ステップＳ３０５）制御部３０２は、設定確認が完了したことを示す情報を全てのラベルプリンタ装置１０から受信したか否かを判別する。制御部３０２は、設定確認が完了したことを示す情報を全てのラベルプリンタ装置１０から受信したと判別した場合（ステップＳ３０５）、ステップＳ３０６に進み、設定確認が完了したことを示す情報を全てのラベルプリンタ装置１０から受信していないと判別した場合（ステップＳ３０５；ＮＯ）、ステップＳ３０１に戻る。
（ステップＳ３０６）制御部３０２は、変更されたことを示すフラグをリセットする。
以上で、管理装置３０が複数のラベルプリンタ装置１０との間で行う処理を終了する。
【００６２】
ここで、例えばラベルプリンタ装置１０が３台（ｎ＝３）の場合について、図１６を用いて説明する。
ラベルプリンタ装置１０−１により、商品情報に変更が行われた後、管理装置３０は、ラベルプリンタ装置１０−２からリクエストを受信する（ステップＳ３０１）。そして、管理装置３０は、商品情報に、変更された項目、変更された情報、変更を行った装置の識別子（ＩＤ＝１）および変更をしたことを示すフラグを関連づけて、ネットワーク２０を介してラベルプリンタ装置１０−２に送信する（ステップＳ３０３）。
次に、制御部３０２は、設定確認が完了したことを示す情報を、ネットワーク２０を介してラベルプリンタ装置１０−２から受信する（ステップＳ３０４）。
【００６３】
次に、管理装置３０は、ラベルプリンタ装置１０−３からリクエストを受信する（ステップＳ３０１）。そして、管理装置３０は、商品情報に、変更された項目、変更された情報、変更を行った装置の識別子（ＩＤ＝１）および変更をしたことを示すフラグを関連づけて、ネットワーク２０を介してラベルプリンタ装置１０−３に送信する（ステップＳ３０３）。
次に、制御部３０２は、設定確認が完了したことを示す情報を、ネットワーク２０を介してラベルプリンタ装置１０−３から受信する（ステップＳ３０４）。
次に、制御部３０２は、設定確認が完了したことを示す情報を全てのラベルプリンタ装置１０から受信したと判別し（ステップＳ３０５；ＹＥＳ）、変更されたことを示すフラグをリセットする（ステップＳ３０６）。
【００６４】
以上のように、本実施形態に係るラベル発行装置（ラベルプリンタ装置１０）は、印字データを管理する管理装置３０と接続されるラベル発行装置（ラベルプリンタ装置１０）であって、他のラベル発行装置（ラベルプリンタ装置１０）の情報を受信する受信部（通信部１０４）と、受信部（通信部１０４）が受信した情報が、印字データが変更されたことを示す変更情報の場合、印字データが変更されたことを表示部（液晶表示器１４２ｂ）上に報知する制御部１００と、を備える。
【００６５】
これにより、本実施形態に係るラベル発行装置（ラベルプリンタ装置１０）では、操作者が液晶表示器１４２ｂを見るだけで、変更が行われたことを容易に判別できる。これにより、本実施形態に係るラベルプリンタ装置１０では、ラベル発行のとき、操作者による設定変更をし忘れるミスを低減することができる。なお、ラベルプリンタ装置１０は、他のラベルプリンタ装置１０から送信された情報を、管理装置３０を介して受信してもよく、あるいは、他のラベルプリンタ装置１０が送信した情報を直接、受信するようにしてもよい。
【００６６】
なお、図１３では、設定変更が行われたことを報知するポップアップ画面４２２を表示する例を説明したが、設定変更の報知方法はこれに限られない。
図１７は、本実施形態に係る設定変更を報知する画面４００ｂの他の例を示す図である。図１７に示すように、ＣＰＵ１０１−２は、受信した商品情報から変更された情報を抽出し、抽出した情報に対してポップアップ画面４３１を表示するようにしてもよい。ポップアップ画面４３１は、画面４００ｂの一番手前のレイヤーに表示される。
【００６７】
図１７に示した例では、産地の情報が変更されているため、ポップアップ画面４３１として『ラベルプリンタ装置１０−１の産地に変更がありました』が画面４００ｂに表示されている。ＣＰＵ１０１−２は、このようなポップアップ画面４３１を、変更項目に応じて複数表示するようにしてもよい。また、ＣＰＵ１０１−２は、変更内容を、１つのポップアップ画面にまとめて表示するようにしてもよい。また、ポップアップ画面４３１は、例えば吹き出しのような形状であってもよく、この場合、変更のあった項目から吹き出しが出ているように表示してもよい。
【００６８】
以上のように、本実施形態に係るラベルプリンタ装置１０において、制御部１００は、受信部（通信部１０４）が受信した情報が、印字データが変更されたことを示す変更情報の場合、表示部（液晶表示器１４２ｂ）上に表示する該印字データのうち変更された情報について表示部（液晶表示器１４２ｂ）上に報知する。
これにより、本実施形態に係るラベルプリンタ装置１０では、製品に関する情報を管理装置から受け取ったとき、受け取った商品に関する情報に変更があっても、どの項目に変更があったのか操作者は液晶表示器１４２ｂを見て、確認することができる。
【００６９】
また、本実施形態に係るラベル発行装置（ラベルプリンタ装置１０）は、ラベルを印字する指示を検出する検出部（キー操作部１４１、タッチパネル１４２ａ）を備え、制御部１００は、検出部（キー操作部１４１、タッチパネル１４２ａ）が、ラベルを印字する指示を検出したとき、変更情報が未確認である場合、ラベルの印字を停止し、変更情報が未確認であることを報知する。
【００７０】
これにより、本実施形態に係るラベルプリンタ装置１０は、変更前の情報によってラベルを印字しようとした場合、ラベル印字を行わず、さらに他のラベルプリンタ装置１０で行われたことを報知するポップアップ画面が液晶表示器１４２ｂ上に表示される。この結果、操作者は、変更前の情報によるラベルの発行を防ぐことができる。
【００７１】
［第２実施形態］
第１実施形態では、商品情報記憶部３０３に記憶されている情報（図４参照）の一例として、図５〜図７を説明したが、これに限られない。
図１８は、図４に示した商品情報記憶部３０３に記憶される品名の項目の他の例を説明する図である。図１９は、図４に示した商品情報記憶部３０３に記憶される単価の項目の他の例を説明する図である。図２０は、図４に示した商品情報記憶部３０３に記憶される産地の項目の他の例を説明する図である。
【００７２】
図１８に示すように、品名の項目は、管理装置、更新日時、ＩＤ１、更新日時５０１−１、ＩＤ２、更新日時５０１−２、・・・、更新日時５０１−ｎ、ＩＤｎの項目を含む。項目の『管理装置』は、商品情報記憶部３０３に記憶されている商品名を示す。項目の『更新日時』５０１−１は、ＩＤ１を有するラベルプリンタ装置１０が情報を更新した日時を示す情報である。項目の『ＩＤ１』は、例えば、ＩＤ１を有するラベルプリンタ装置１０−１から、商品データ『００００１』に関する商品名の登録や変更があったか否かを示す。例えば、『０』は商品データ『００００１』に関する商品名の登録や変更があったことを示し、『１』は商品データ『００００１』に関する商品名の登録や変更がなかったことを示す。
以下、『更新日時』５０１−２は、ＩＤ２を有するラベルプリンタ装置１０が情報を更新した日時を示す情報であり、『更新日時』５０１−ｎは、ＩＤｎを有するラベルプリンタ装置１０が情報を更新した日時を示す情報である。
【００７３】
図１９に示すように、単価の項目は、管理装置、更新日時、ＩＤ１、更新日時５１１−１、ＩＤ２、更新日時５１１−２、・・・、更新日時５１１−ｎ、ＩＤｎの項目を含む。
また、図２０に示すように、産地の項目は、管理装置、更新日時、ＩＤ１、更新日時５２１−１、ＩＤ２、更新日時５２１−２、・・・、更新日時５２１−ｎ、ＩＤｎの項目を含む。
【００７４】
以上のように、管理装置３０の商品情報記憶部３０３には、図１８〜図２０に示したようにラベルプリンタ装置１０が情報を変更した更新日時も記憶するようにしてもよい。そして、管理装置３０は、このように記憶した更新日時を示す情報を変更情報に含めて、ネットワーク２０を介してラベルプリンタ装置１０へ送信するようにしてもよい。そして、ラベルプリンタ装置１０は、受信した変更情報から更新日時を示す情報を抽出し、抽出した更新日時を示す情報も、更新された情報とともに液晶表示器１４２ｂに表示するようにしてもよい。これにより、操作者は、情報がいつ変更されたのかを知ることができる。
【００７５】
また、第１実施形態では、商品に関する情報に変更があったことを、ポップアップ画面４２２（図１３参照）、またはポップアップ画面４３１（図１７参照）を表示して報知する例を説明したが、これに限られない。
ラベルプリンタ装置１０−１が商品に関する情報を変更した後、ラベルプリンタ装置１０−２が変更された商品に関する情報を受け取ったときの液晶表示器１４２ｂに表示される他の画面を表示する場合を以下に説明する。
【００７６】
図１５において、ＣＰＵ１０１−２は、ステップＳ２０１〜Ｓ２０５を同様に行う。
（ステップＳ２０６）ＣＰＵ１０１−２は、受信した商品情報を、表示制御部１０６−２を介して液晶表示器１４２ｂ−２上に表示する。次に、ＣＰＵ１０１−２は、受信した商品情報の中から、更新された情報を検出し、検出した情報に対応するボタンの表示を変更する。ここで、ボタンの表示を変更するとは、例えば、表示の色を変更したり、表示を点滅させたり、変更があったことを示す『変更』アイコンを表示したりする変更である。
【００７７】
図２１は、本実施形態に係る商品に関する情報に変更があった場合の画面４００ｃの一例を説明する図である。図２１において、図１３に示した画面４００ａとの差異は、単価ボタン４１３ｃ、産地ボタン４１４ｃ、値段ボタン４１５ｃ、設定確認ボタン４２１ｃである。
【００７８】
図２１に示すように、画面４００ｃには、商品に関する情報のうち、変更された箇所の各ボタン（４１１ｃ、４１３ｃ、４１４ｃ、４１５ｃ）の表示状態が変更されている。このように、表示状態を変更することで、操作者は、どの情報に変更があったのか、液晶表示器１４２ｂ−２を見ることで、簡単かつ適切に確認することができる。
【００７９】
また、本実施形態に係るラベル発行装置（ラベルプリンタ装置１０）において、制御部１００は、受信部（通信部１０４）が受信した情報が、印字データが変更されたことを示す変更情報の場合、印字データが変更されたことを示す情報に基づいて表示部上の表示を変更する。
これにより、本実施形態に係るラベルプリンタ装置１０は、変更された情報の表示色が他の表示と異なって表示され、または点滅して表示されるため、操作者が液晶表示器１４２ｂを見ただけで、どの項目に対して変更が行われたかが容易を操作者が判別できる。これにより、ラベル発行のとき、操作者による設定変更をし忘れるミスを低減することができる。
また、本実施形態に係るラベルプリンタ装置１０は、他のラベルプリンタ装置で変更されたデータの値に変更したとき、変更を行ったこと液晶表示部１４２ｂに報知するようにしてもよい。
【００８０】
なお、ラベルプリンタ装置１０および管理装置３０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８１】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８２】
１…ラベル発行システム、１０、１０−１〜１０−ｎ…ラベルプリンタ装置、３０…管理装置、１０１…ＣＰＵ、１０２…ロードセル制御部、１０３…印字制御部、１０４…通信部、１０５…操作制御部、１０６…表示制御部、１０７…ＲＡＭ、１０８…ＲＯＭ、１０９…記憶部、４００ａ、４００ｂ、４００ｃ…画面、４２２、４２３、４３１…ポップアップ画面
【図１】
2014164513.tif 000003
【図２】
2014164513.tif 000004
【図３】
2014164513.tif 000005
【図４】
2014164513.tif 000006
【図５】
2014164513.tif 000007
【図６】
2014164513.tif 000008
【図７】
2014164513.tif 000009
【図８】
2014164513.tif 000010
【図９】
2014164513.tif 000011
【図１０】
2014164513.tif 000012
【図１１】
2014164513.tif 000013
【図１２】
2014164513.tif 000014
【図１３】
2014164513.tif 000015
【図１４】
2014164513.tif 000016
【図１５】
2014164513.tif 000017
【図１６】
2014164513.tif 000018
【図１７】
2014164513.tif 000019
【図１８】
2014164513.tif 000020
【図１９】
2014164513.tif 000021
【図２０】
2014164513.tif 000022
【図２１】
2014164513.tif 000023